(57)【要約】      （修正有）【課題】前扉の開放時における安全性をより確保することのできる遊技機を提供する。【解決手段】遊技盤が取付固定された本体枠部材２と、本体枠部材２に対して開閉自在に取り付けられた前扉３とを備え、前扉３は、ガラス板２２が設けられている固定部１２と、上部が本体枠部材２の上部と軸支されており、ガラス板２２の前側に位置する閉位置と、この閉位置から所定量回動した開位置との間で開閉自在に可動する可動部１１とを備えた。【選択図】図３
2018126578.tif 000002
【特許請求の範囲】
【請求項１】
遊技盤が取付固定された本体枠部材と、前記本体枠部材に対して開閉自在に取り付けられた前扉とを備えた遊技機であって、
前記前扉は、
ガラス板と、遊技に使用する遊技球を一時的に貯留する上受け皿とを有し、前記本体枠部材に対して左右方向に開閉可能な固定部と、
前記本体枠部材の上部に取り付けられており、前記本体枠部材に対して上下方向に開閉可能であって、下方に位置する閉位置と上方に位置する開位置との間で開閉可能な可動部とを備え、
前記可動部が前記開位置及び閉位置のいずれの場合においても前記上受け皿は露出した状態で配置されていることを特徴とする遊技機。
【発明の詳細な説明】
【技術分野】
【０００１】
本発明は、本体枠部材の前側に前扉を開閉自在に設けた遊技機に関する。
【背景技術】
【０００２】
従来から、パチンコ店には、パチンコ機やスロットマシン等をはじめとする各種遊技機が設置されて、遊技者が遊技を行うことができるようになっている。パチンコ機やスロットマシンは、いずれも本体枠部材に当たる本体枠や本体ケースがあり、これら本体枠や本体ケースの前側に、該本体枠や本体ケースに対して開閉自在に前扉が取り付けられている。
【０００３】
従来から存在する遊技機の一例として、パチンコ機では、一般的に、機体の外郭を構成する縦長方形の外枠を備えており、この外枠の開口前面側に縦長方形の中枠が着脱自在に組み付けられている。中枠は、外枠に対して正面視左側が軸支されて、横開きをすることができるようになっている。また、この中枠の内部に遊技盤等が取付固定されており、また中枠の前面側に前枠が開閉自在に組み付けられている。前枠は、中枠に対して正面視左側が軸支されており、中枠に対して横開きをすることができるようになっている。即ち、従来から存在するパチンコ機では、中枠及び前枠は、外枠に対して横開きするように構成されている。
【０００４】
また、従来から存在する遊技機の中には、前枠が全体的に上方に開放されるものも存在する。例えば、特開平９−１７３５７２号公報（特許文献１）では、前面枠が上方に開放するように構成されており、前面枠を開放側に付勢する開放力を有するアキュムレータと、前面枠を閉位置にロックするロック機構を設けた遊技機が開示されている。
【先行技術文献】
【特許文献】
【０００５】
【特許文献１】特開平９−１７３５７２号公報
【発明の概要】
【発明が解決しようとする課題】
【０００６】
しかしながら、特許文献１に記載された遊技機は、前面枠の全体を外枠に対して上方に開放するように構成されているので、前枠に取り付けられているガラス板や、各種受け皿なども一緒に上方に開放される。そのため、前扉を開放して作業を行う場合、作業者の上方にガラス板が位置することになり、万が一ガラス板が落下したりすると、作業者の安全をより確保することが難しいという問題があった。また、ガラス板は、それだけでも重量があるので、ガラス板をも含めて前面枠を上方に開放させていると、その開放した状態を維持するためのアキュムレータなどもより強固なものが必要になる等、製造時のコストも増大してしまうという問題があった。
【０００７】
本発明は、上記した問題点に鑑みてなされたもので、前扉の開放時における安全性をより確保することのできる遊技機を提供することを目的とする。
【課題を解決するための手段】
【０００８】
本発明は、遊技盤が取付固定された本体枠部材と、前記本体枠部材に対して開閉自在に取り付けられた前扉とを備えた遊技機であって、前記前扉は、ガラス板と、遊技に使用する遊技球を一時的に貯留する上受け皿とを有し、前記本体枠部材に対して左右方向に開閉可能な固定部と、前記本体枠部材の上部に取り付けられており、前記本体枠部材に対して上下方向に開閉可能であって、下方に位置する閉位置と上方に位置する開位置との間で開閉可能な可動部とを備え、前記可動部が前記開位置及び閉位置のいずれの場合においても前記上受け皿は露出した状態で配置されていることを特徴とする遊技機を要旨とする。
【発明の効果】
【０００９】
本発明によれば、可動部を上方に開放した時に、作業者の安全をより確保することが可能になる。また、本発明によれば、その開放した状態を維持するための機構も強固なものにする必要がなく、製造コストも大幅に低減することが可能になる。
【図面の簡単な説明】
【００１０】
【図１】本発明の実施の形態に係る遊技機の斜視図である。
【図２】本発明の実施の形態に係る遊技機の斜視図である。
【図３】本発明の実施の形態に係る遊技機の斜視図である。
【発明を実施するための形態】
【００１１】
本発明に係る遊技機の実施の形態について、図面を用いて具体的に説明する。なお、本明細書では、本発明に係る遊技機の例としてパチンコ遊技機を用いて説明するが、本発明はパチンコ遊技機以外の遊技機にも適用することが可能である。また、本明細書においては、パチンコ遊技機（以下、単に「遊技機」と言う。）及び遊技機を構成する各部材の「前側」、「後側」、「上側」、「下側」、「左側」及び「右側」は、遊技機を正面から見場合における表面側（前面側）、背面側（後面側）、「上側」、「下側」、「左側」及び「右側」を示すものとする。
【００１２】
図１及び図２に示すように、遊技機１は、本体枠部材２と前扉３とを備えている。本体枠部材２は、本体枠４及び中枠５を備えている。本体枠４は、機体の外郭を構成する縦長方形の枠状の部材である。この本体枠４は、木材等を用いて組み立てられており、側部の外周に金属板等で形成された補強板６が取り付けられている。中枠５は、本体枠４の前側に設けられている。この中枠５は、縦長方形の枠状に形成された部材であり、全体的に合成樹脂材料を用いて形成されている。この中枠５には、内部に遊技盤等を取付固定することができるように構成されている。また、中枠５は、後述する可動部固定部材３５を取付固定するための第１取付部７を有している。この第１取付部７は、可動部固定部材３５をネジ止め等の任意の方法によって取付固定することができるようになっており、本実施の形態では左右方向に２ヶ所設けられている。なお、第１取付部７における可動部固定部材３５の取付方法や第１取付部７を設ける数などは上記したものに限定されない。
【００１３】
前扉３は、本体枠部材２に対して開閉自在に取り付けられている。この前扉３は、可動部１１及び固定部１２を備えている。可動部１１は、固定部１２における後述するユニット部２１の上方、即ち本体枠部材２の上部に位置するように取り付けられている。この可動部１１は、該可動部１１の上部が本体枠部材２の中枠５の上部と軸支されている。また、可動部１１は、中枠５に対して開いた開位置と中枠５に対して閉じた閉位置との間で開閉自在に可動することができるように構成されている。また、前扉３は、後述する可動部固定部材３５を取付固定するための第２取付部１３を上部に有している。この第２取付部１３は、可動部固定部材３５をネジ止め等の任意の方法によって取付固定することができるようになっており、本実施の形態では左右方向に２ヶ所設けられている。これら第２取付部１３は、第１取付部７と対向する位置に形成されていることが好ましい。なお、第２取付部１３における可動部固定部材３５の取付方法や第２取付部１３を設ける数などは上記したものには限定されない。
【００１４】
可動部１１は、可動本体１４と視認窓１５とを有している。可動本体１４は、本実施の形態では下部が開口するコ字形に形成されており、コ字形に形成された箇所には所定の装飾が施された装飾部１６が形成されたり、遊技の進行に応じて音声を出力するスピーカ１７が設けられている。視認窓１５は、三方が可動本体１４に囲まれた中央部に形成されている。この視認窓１５は、可動部１１の奥側に位置する遊技盤を視認することができるように形成されている。
【００１５】
固定部１２は、ユニット部２１、ガラス板２２、ガラス板枠体２３を備えている。ユニット部２１は、固定部１２の前面側下部であって、可動部１１の下方に位置するように形成されている。ユニット部２１は、遊技に使用する遊技球を一時的に貯留する上受け皿２５と、上受け皿２５から溢れ出て流下した遊技球を貯留する下受け皿２６とを備えている。また、ユニット部２１には、遊技盤に向けて遊技球を弾発するための発射装置を内部に備えており、この発射装置の弾発強さを操作ハンドル２７の回動量によって調節することができるように構成されている。また、上受け皿２５には、遊技球を貯留する貯留スペースの前側に、遊技者が遊技中に押圧操作するボタン２８が配置されている。
【００１６】
ガラス板２２は、後述するガラス板枠体２３の中側、即ちガラス板枠体２３の中央部に位置するように、ガラス板枠体２３に取り付けられている。このガラス板２２は、遊技者が遊技盤を視認することができ、かつ遊技盤を保護するためのものである。なお、このガラス板２２は、可動部１１が閉位置に位置している時に、視認窓１５の後方に位置し、かつ視認窓１５の大きさよりも大きくなるように形成されていることが好ましい。ガラス板２２をこのような大きさにすることで、遊技者の不正行為を確実に防止することが可能になる。
【００１７】
ガラス板枠体２３は、中央部にガラス板２２を取り付ける開口部２９が形成された枠状の部材である。図２に示すように、ガラス板枠体２３の開口部２９には、ガラス板２２が取付固定されている。また、ガラス板枠体２３には、前面側が対向面３０となるように形成されている。この対向面３０は、可動部１１が閉位置に位置している時には可動部１１の裏側に位置して可動部１１と対向するように形成された面である。また、ガラス板枠体２３には、可動部１１が閉位置に位置している時に該ガラス板枠体２３にスピーカ１７が近接する箇所においては、スピーカ１７と干渉するのを防止するための凹部３１が形成されている。また、ガラス板枠体２３の右下部には、ロック部材３２が形成されている。このロック部材３２は、ガラス板枠体２３から前方に向けて突出形成されており、先端部に鍵穴が形成されている。
【００１８】
ロック部材３２は、所定の鍵を鍵穴に差し込んで、可動部１１やガラス板枠体２３の回動を規制したり、許容したりすることができるようになっている。例えば、可動部１１の回動を許容するようにロック部材３２を操作すると、ガラス板枠体２３に対する可動部１１のロックが解除される。そして、可動部１１は、閉位置から図２に示す開位置まで回動することができるようになる。また、ガラス板枠体２３の回動を許容するようにロック部材３２を操作すると、本体枠４に対するガラス板枠体２３のロックが解除される。そして、ガラス板枠体２３は、閉じ位置から開き位置まで回動することができるようになる。なお、これらガラス板枠体２３に対する可動部１１の回動及び本体枠４に対するガラス板枠体２３の回動は、ここに行えるように構成してもよい。例えば、可動部１１はガラス板枠体２３に対してロックされた状態で、本体枠４に対してガラス板枠体２３が閉じ位置から開き位置まで回動するように構成してもよいし、同様にガラス板枠体２３が本体枠４に対してロックされた状態で、ガラス板枠体２３に対して可動部１１が閉位置から開位置まで回動するように構成してもよい。
【００１９】
固定部１２と中枠５とは、これら固定部１２の左部と中枠５の左部とが図示しない回動部材によって、固定部１２が中枠５に対して閉じている閉じ位置と、固定部１２が中枠５に対して開いている開き位置との間で、左右方向に開閉自在に軸支されている。なお、本実施の形態では、固定部１２は、左部が中枠５に対して開閉自在に軸支されて組み付けられているが、これに限定されるものではなく、中枠５の左右いずれか一方の側に開閉自在に軸支されていればよい。
【００２０】
可動部固定部材３５は、前扉３の可動部１１と中枠５との間に取り付けられており、中枠５に対して可動部１１を閉位置と開位置との間で開閉自在に軸支するためのものである。この可動部固定部材３５は、本実施の形態では例えば蝶番等が用いられている。本実施の形態では、可動部固定部材３５は、一端側が第１取付部７にネジ止め等によって取付固定され、他端側が第２取付部１３にネジ止め等によって取付固定されている。なお、本実施の形態では、可動部固定部材３５は２ヶ所に取り付けられているが、取り付ける数はこれに限定されるものではない。また、本実施の形態では可動部固定部材３５の一つの例として蝶番を用いて説明しているが、中枠５に対して可動部１１を開閉自在に軸支することができれば、蝶番には限定されない。
【００２１】
次に、本発明に係る遊技機１について、中枠５に対する前扉３の動作について説明する。遊技機１は、通常の状態、例えば遊技者が遊技を行う時の状態は、図１に示すように前扉３は中枠５に対して閉じている。即ち、前扉３の固定部１２は中枠５に対して閉じ位置に位置し、可動部１１は固定部１２に対して閉位置に位置している。この時、遊技機１は、正面視すると遊技盤がガラス板２２を介して視認され、可動部１１に取り付けられている装飾部１６がガラス板２２の周囲に配置されている。
【００２２】
次に、可動部１１を閉位置から開位置に回動させる時の動作について説明する。この場合には、遊技機１を操作する操作者がロック部材３２を操作して、可動部１１のロックを解除する。可動部１１のロックを解除すると、それまで規制されていた可動部１１の回動が許容される。即ち、可動部１１のロックを解除すると、該可動部１１は図２中のＡ方向に回動することができるようになる。そして、可動部１１は、閉位置から、図２に示すように、固定部１２に対して上下方向に略直角、即ち略水平方向に位置するところまで回動し、開位置に到達する。
【００２３】
次に、固定部１２を閉じ位置から開き位置に回動させる時の動作について説明する。この場合には、操作者がロック部材３２をさらに操作して、固定部１２のロックを解除する。固定部１２のロックを解除すると、それまで規制されていた固定部１２、即ち前扉３の回動が許容される。前扉３のロックを解除すると、該前扉３は図３中のＢ方向に回動することができるようになる。そして、前扉３は、閉じ位置から、図３に示すように中枠５に対して左右方向に略直角、即ち前後方向に位置するところまで回動し、開き位置に到達する。
【００２４】
なお、図３に示すように、前扉３の固定部１２が中枠５に対して左右方向に略直角に位置するところまで回動して開き位置にある時には、固定部１２の上部に可動部１１を載せてもよい。このように、固定部１２の上部に可動部１１を載せることができるように構成することで、遊技盤の調整等のような遊技機１の各種調整時に可動部１１が、図２中のＡ方向とは反対のＡ’方向に向けて回動するのを防止できる。即ち、本実施の形態に係る遊技機１によれば、遊技機１の調整等を行う作業者が作業する時に、片手で可動部１１を持ち、もう片方の手で遊技機１の調整を行うような煩雑な作業をしなくてもよく、効率よくかつ安全に遊技機１の調整を行える状態を確保することができる。
【００２５】
さらには、本実施の形態に係る遊技機１によれば、前扉３のうちの可動部１１のみが上方に開放するので、閉位置から開位置に回動する部材を軽量化することもできる。そのため、前扉３を開位置まで回動させた状態を維持するために用いる固定部１２も、軽量な可動部１１を支持することができる程度の強度を有すればよいので、固定部１２を必要以上に強固にする必要がなく、製造コストも大幅に低減することが可能になる。
【００２６】
なお、作業が終わって前扉３を閉じる時、即ち固定部１２を閉じ位置にし、かつ可動部１１を閉位置にする時には、先に説明した動作を逆に行えばよい。即ち、固定部１２を図３中のＢ’方向にまず回動させて閉じ位置に向かわせる。そして、固定部１２を閉じ位置に位置させたら、ロック部材３２を操作して、固定部１２の回動を規制するようにしてロックする。
【００２７】
次に、可動部１１を図２中のＡ’方向に向けて、開位置から閉位置まで回動させる。そして、可動部１１を閉位置に位置させたら、ロック部材３２を操作して、可動部１１の回動を規制するようにしてロックする。これにより、前扉３の固定部１２が中枠５にロックされ、可動部１１が固定部１２にロックされた状態となる。
【００２８】
以上、本発明に係る遊技機１の構成を具体的に説明したが、本発明はこれに限定されるものではない。したがって、本発明は、本発明の趣旨を逸脱しない範囲において、任意に選択して用いてもよい。
【符号の説明】
【００２９】
１    遊技機
２    本体枠部材
３    前扉
４    本体枠
５    中枠
１１    可動部
１２    固定部
１５    視認窓
２１    ユニット部
２２    ガラス板
２３    ガラス板枠体
３５    可動部固定部材
【図１】
2018126578.tif 000003
【図２】
2018126578.tif 000004
【図３】
2018126578.tif 000005